(57)【特許請求の範囲】
【請求項１】
左官仕上げ天井の下面にメッシュシートを接着剤で貼り付けて前記左官仕上げ天井と前記メッシュシートとを一体化して補強天井を形成する工程と、
前記補強天井にボルトを貫通させ、該ボルトで前記補強天井と天井固定具とを固定する工程と、
前記補強天井及び前記ボルトの下面に、前記左官仕上げ天井と同様の塗装を施す工程と、
を備えていることを特徴とする天井の脱落防止方法。
【請求項２】
前記補強天井と天井固定具とを固定する工程において、
前記ボルトを前記補強天井の下面側から前記補強天井に貫通させると共に、前記ボルトで前記補強天井の上面側に前記天井固定具を固定し、
前記天井固定具を連結具で躯体に緊結することを特徴とする請求項１に記載の天井の脱落防止方法。
【請求項３】
前記左官仕上げ天井の下地を端部固定プレートで躯体に緊結する工程をさらに備えていることを特徴とする請求項１又は請求項２に記載の天井の脱落防止方法。
【請求項４】
前記補強天井を形成する工程を行う前に
前記左官仕上げ天井に装飾として設けられたレリーフを一旦取り外し、前記レリーフの裏面にガラス繊維による補強を行い、
前記塗装を施す工程を行った後に、
補強を行った前記レリーフをボルトで前記補強天井に固定することを特徴とする請求項１から請求項３までの何れか一項に記載の天井の脱落防止方法。
【請求項５】
左官仕上げ天井と該左官仕上げ天井の下面に接着剤で貼り付けられたメッシュシートとを有する補強天井と、
前記補強天井を厚み方向に貫通するボルトと、
前記ボルトによって前記補強天井に固定された天井固定具と、
前記補強天井及び前記ボルトの下面を覆う塗膜層と、
を備えていることを特徴とする天井の脱落防止構造。
【請求項６】
前記ボルトは前記補強天井の下面側から前記補強天井を厚み方向に貫通し、
前記天井固定具は前記補強天井の上面側に固定され、
前記天井固定具と躯体との間が連結具によって緊結されていることを特徴とする請求項５に記載の天井の脱落防止構造。
【請求項７】
前記左官仕上げ天井の下地が端部固定プレートで躯体に緊結されていることを特徴とする請求項５又は請求項６に記載の天井の脱落防止構造。
【請求項８】
前記補強天井の下方に、ガラス繊維による補強を行ったレリーフが設けられていることを特徴とする請求項５から請求項７までの何れか一項に記載の天井の脱落防止構造。
【発明の詳細な説明】
【技術分野】
【０００１】
本発明は、天井の脱落防止方法に関し、特に左官仕上げ天井のように自重が比較的大きい天井の脱落防止方法及び脱落防止構造に関する。
【背景技術】
【０００２】
壁土やモルタル・プラスター（漆喰）等の塗り壁材料を主にコテを用いて仕上げた所謂左官仕上げは、重厚感があり、美観性に優れているため、住宅から大規模施設に至る様々な建築物で使われている。特に、左官仕上げは歴史的建築物にも多く使われ、左官仕上げがなされた天井（以下、左官仕上げ天井とする）には幾何学的な模様が施されている、或いはレリーフ等が設けられていることがある。
【０００３】
ところで、建築物においては、先の東日本大震災等での被害を鑑み、地震時における天井の脱落防止対策が重要とされている。例えば、特許文献１には、複数の壁の間に、その間に設置される床に沿って平面ブレースが設けられてなり、該平面ブレースは、これを前記壁に定着する複数の定着アンカーと、これら定着アンカーにより縁部が固定されて前記壁の間に架設されたシート状又は板状の補強部材とから構成されている壁の補強構造が開示されている。
【０００４】
また、特許文献２には、天井から垂設された垂設部材と、前記垂設部材に天井下地材を吊下げ保持するハンガー部材とを備えた天井構造の前記天井下地材の落下を防止する落下防止構造であって、前記垂設部材へ取付可能な取付部材と、前記取付部材と前記天井下地材を連結する連結手段を備えた落下防止構造が開示されている。
【０００５】
そして、特許文献３には、吊りボルトを介して取り付けられた天井材の落下を防止する落下防止構造であって、前記天井材の落下を防止するように天井板の下面を覆う防護部材と、前記天井板を貫通し、一端が前記吊りボルトに取り付けられ且つ他端が前記防護部材を吊下支持する支持部材とを備えている天井材落下防止構造が開示されている。
【先行技術文献】
【特許文献】
【０００６】
【特許文献１】特開２００８−２９７８７１号公報
【特許文献２】特開２０１２−１１７３０３号公報
【特許文献３】特開２０１４−２０１８８７号公報
【発明の概要】
【発明が解決しようとする課題】
【０００７】
左官仕上げの際の左官材料であって下地を支持する材料は鉄骨が一般的であるため、左官仕上げ天井の自重は５０〜１００ｋｇｆ/ｍ２程度になることもあり、例えば、樹脂製の複数のパネル部材を互いに隣接させ、平面視で縦横にわたって配列した吊天井等、現在一般に採用されている天井に比べて左官仕上げ天井の質量は大きい。そのため、万が一、地震時に落下すればその質量から大きな被害となるおそれがあり、実際には東日本大震災での被害例も報告されている。
しかしながら、上記説明した特許文献１に記載された補強構造については、一般的に用いられる所謂ピンネット工法（ピンでモルタルをコンクリートへ固定し、ひび割れたモルタルをネット層で補強することで、外壁の落下を防止する補修工法）を天井に採用した事例はあるものの、地震時の壁や天井の落下防止については考慮されていない。また、上記説明した特許文献２に記載された天井防振構造及び特許文献３の落下防止構造については、前述したパネル部材や吊ボルトを用いて左官仕上げ天井より比較的軽量に構築された天井を対象とし、左官仕上げ天井のように質量の大きい天井の脱落を防止できるか不明である。
即ち、現在のところ、左官仕上げ天井については、地震時における脱落防止対策工法に確たるものがない。
【０００８】
また、耐震性向上の面からは、既存の天井を一旦全て撤去し、適切に設計された新規部材に更新するのが最も確実な方法であるが、歴史的価値の保存要請等から既存の部材を残したまま地震時の落下防止対策を行いたいという要求がある。
【０００９】
本発明は、上記事情に鑑みてなされたものであり、左官仕上げ天井の脱落を防止すると共に、既存の外観を保存することができる天井の脱落防止方法及び脱落防止構造を提供する。
【課題を解決するための手段】
【００１０】
請求項１記載の天井の脱落防止方法は、左官仕上げ天井の下面にメッシュシートを接着剤で貼り付けて前記左官仕上げ天井と前記メッシュシートとを一体化して補強天井を形成する工程と、前記補強天井にボルトを貫通させ、該ボルトで前記補強天井と天井固定具とを固定する工程と、前記補強天井及び前記ボルトの下面に、前記左官仕上げ天井と同様の塗装を施す工程と、を備えていることを特徴とする。
上記構成によれば、メッシュシート及び接着剤によって左官仕上げ天井とメッシュシートとを板状に一体化し、補強天井を形成することで、地震動等の外力によって左官仕上げ天井に部分的な破損が発生しても局所的な分離を起こさせない。また、ボルトによって、左官仕上げ天井及びメッシュシートの一体性を高め、左官仕上げ天井の部分的な破損の広がりを抑えることができる。さらに、メッシュシートとボルト取付後の塗装を施すことによって既存同様の天井の外観に復元することができる。
【００１１】
請求項２記載の天井の脱落防止方法は、前記補強天井と天井固定具とを固定する工程において、前記ボルトを前記補強天井の下面側から前記補強天井に貫通させると共に、前記ボルトで前記補強天井の上面側に前記天井固定具を固定し、前記天井固定具を連結具で躯体に緊結することを特徴とする。
上記構成によれば、地震動等の外力により左官仕上げ天井が割れて落ちそうになっても左官仕上げ天井の荷重はボルトを通じて天井固定具に伝達され、さらに連結具を通して躯体に解放される。このようにメッシュシートと一体化した左官仕上げ天井を躯体によって支持し、下方への落下をより効果的に防止することができる。
【００１２】
請求項３記載の天井の脱落防止方法は、前記左官仕上げ天井の下地を端部固定プレートで躯体に緊結する工程をさらに備えていることを特徴とする。
上記構成によれば、左官仕上げ天井を単独で揺らすことなく建築物と一体に震動させ、左官仕上げ天井のみでの振動の増幅と躯体への衝突を回避することができる。
【００１３】
請求項４記載の天井の脱落防止方法は、前記補強天井を形成する工程を行う前に前記左官仕上げ天井に装飾として設けられたレリーフを一旦取り外し、前記レリーフの裏面にガラス繊維による補強を行い、前記塗装を施す工程を行った後に、補強を行った前記レリーフを前記補強天井に固定することを特徴とする。
上記構成によれば、左官仕上げ天井に装飾としてレリーフが設けられていた場合であっても、既存同様の天井の外観を復元することができる。
【００１４】
請求項５記載の天井の脱落防止構造は、左官仕上げ天井と該左官仕上げ天井の下面に接着剤で貼り付けられたメッシュシートとを有する補強天井と、前記補強天井を厚み方向に貫通するボルトと、前記ボルトによって前記補強天井に固定された天井固定具と、前記補強天井及び前記ボルトの下面を覆う塗膜層と、を備えていることを特徴とする。
上記構成によれば、メッシュシート及び接着剤によって既存の左官仕上げ天井とメッシュシートが板状に一体化され、左官仕上げ天井の部分的な破損が発生しても局所的な分離が生じない。また、ボルトによって、左官仕上げ天井及びメッシュシートの一体性が高まり、部分的な破損の広がりが抑えられる。さらに、塗膜層によって、最終的に既存同様の外観で左官仕上げ天井が復元される。
【００１５】
請求項６記載の天井の脱落防止構造は、前記ボルトは前記補強天井の下面側から前記補強天井を厚み方向に貫通し、前記天井固定具は前記補強天井の上面側に固定され、前記天井固定具と躯体との間が連結具によって緊結されていることを特徴とする。
上記構成によれば、地震動等の外力により左官仕上げ天井が割れて落ちそうになっても左官仕上げ天井の荷重はボルトを通じて天井固定具に伝達され、さらに連結具を通して躯体に解放される。このようにメッシュシートと一体化された左官仕上げ天井が躯体に支持され、下方への落下が防止される。
【００１６】
請求項７記載の天井の脱落防止構造は、前記左官仕上げ天井の下地が端部固定プレートで躯体に緊結されていることを特徴とする。
上記構成によれば、左官仕上げ天井が建築物と一体に震動し、単独で揺れない。これにより、左官仕上げ天井のみでの振動の増幅と躯体への衝突が回避される。
【００１７】
請求項８記載の天井の脱落防止構造は、前記補強天井の下面に、ガラス繊維による補強を行ったレリーフが設けられていることを特徴とする。
上記構成によれば、左官仕上げ天井に装飾としてレリーフが設けられていた場合であっても、既存同様の天井の外観が復元される。
【発明の効果】
【００１８】
本発明の天井の脱落防止方法及び天井の脱落防止構造によれば、左官仕上げ天井の脱落を防止すると共に、既存の外観を保存することができる。
【図面の簡単な説明】
【００１９】
【図１】本発明の一実施形態である天井の脱落防止構造の平面図である。
【図２】本発明の一実施形態である天井の脱落防止構造の側面図であって、（ａ）は図１に示す矢印方向Ｄ１から見た領域Ｒ１の側面図であり、（ｂ）は図１に示す矢印方向Ｄ２から見た領域Ｒ１の側面図である。
【図３】本発明の一実施形態である天井の脱落防止構造の側面図であり、図１に示す矢印方向Ｄ２から見た領域Ｒ２の側面図である。
【図４】本発明の一実施形態である天井の脱落防止構造の端部固定プレートの斜視図である。
【図５】レリーフ５０が取り付けられた本発明の一実施形態である天井の脱落防止構造１の側面図（上段）及びレリーフ５０の平面図（下段）である。
【発明を実施するための形態】
【００２０】
以下、本発明に係る天井の脱落防止構造及び天井の脱落防止方法の一実施形態について、図１を参照して説明する。なお、以下の説明で用いる図面は模式的なものであり、長さ、幅及び厚みの比率等は実際のものと同一とは限らず、適宜変更することができる。
【００２１】
図１は、本実施形態の天井の脱落防止構造１（以下、単に「脱落防止構造１」とする）の平面図である。図２は、脱落防止構造１の側面図であって、（ａ）は図１に示す矢印方向Ｄ１から見た領域Ｒ１の側面図であり、（ｂ）は図１に示す矢印方向Ｄ２から見た領域Ｒ１の側面図である。図３は、脱落防止構造１の側面図であり、図１に示す矢印方向Ｄ２から見た領域Ｒ２の側面図である。
【００２２】
脱落防止構造１は、左官仕上げ天井２の下面２ｂに不図示の接着剤で貼り付けられたメッシュシート４と、メッシュシート４の下面４ｂ側から左官仕上げ天井２及びメッシュシート４を厚み方向に貫通するボルト６と、ボルト６によって左官仕上げ天井２の上面２ａに固定された天井固定具８と、メッシュシート４の下面４ｂ及び下面４ｂに露出したボルト６を覆う塗膜層１０と、を備えている。
【００２３】
左官仕上げ天井２は、ラス網にモルタルをコテ塗した下地鉄骨（下地、以下、単に「下地鉄骨」とする）３８に漆喰塗が施された既存の天井である。図３に示すように、下地鉄骨３８は、建築物の躯体２０のうちスラブや屋根材からなる躯体２３の躯体面２３ｂから垂下されたフラットバー３０に支持され、躯体２３の下方に配置されている。フラットバー３０の上端部３０ｃは、埋め込みアンカー３２を介して、ボルトで躯体２３に躯体面２３ｂ側から固定されている。フラットバー３０の下端部３０ｄは、ボルトで下地鉄骨３８に接続されている。下地鉄骨３８には、補強部材３９が取り付けられ、補強部材３９の底部が左官仕上げ天井２に埋め込まれることで左官仕上げ天井２に上面２ａ側から固定されている。具体的には、補強部材３９として、針金状の結束部材が用いられ、下地鉄骨３８に二重巻きされると共に、左官仕上げ天井２に一部埋設されている。
即ち、左官仕上げ天井２、下地鉄骨３８、フラットバー３０、埋め込みアンカー３２及び補強部材３９は、既存部材である。
なお、左官仕上げ天井２のラス網モルタル及び下地鉄骨３８に替えて木摺下地が用いられていてもよい。
【００２４】
左官仕上げ天井２は、図１に示す矢印方向Ｄ１（即ち、躯体２０のうち柱２１同士の間に設けられた梁２２の延在方向）に沿って湾曲しており、所謂アーチ状に造られている。矢印方向Ｄ１における両側エリアの領域Ｒ１は、作業者が躯体２３と左官仕上げ天井２との間に入ることができる程度に屋根側の躯体２３の躯体面２３ｂと左官仕上げ天井２の上面２ａとの高さ間隔が広く、所謂天井ふところが高い領域である。一方、矢印方向Ｄ１における中央エリアの領域Ｒ２は、作業者が躯体２３と左官仕上げ天井２との間に入ることが困難な程度に屋根側の躯体２３の躯体面２３ｂと左官仕上げ天井２の上面２ａとの高さ間隔が狭く、天井ふところが低く、不図示の小梁下方の高さ寸法も小さいために作業者がくぐることが困難な領域である。
【００２５】
脱落防止構造１では、領域Ｒ１において下地鉄骨３８が補強されている。
領域Ｒ１においては、図１に示すように、下地鉄骨３８の矢印方向Ｄ２の両端部が端部固定プレート４０で梁２２等の躯体２０に緊結されている。
図４は、端部固定プレート４０の斜視図である。なお、図２（ａ），（ｂ）では、端部固定プレート４０の図示を省略する。
図４に示すように、端部固定プレート４０は、ボルト等で下地鉄骨３８及び梁２２等の躯体２０に固定される下地固定面４０Ａ及び躯体固定面４０Ｂを備えている。端部固定プレート４０には、ボルト等を挿入可能な孔が適所に形成されている。
また、領域Ｒ１においては、図２（ｂ）に示すように、下地鉄骨３８を支持するフラットバー３０の上端部３０ｃは、ボルト４０及びナット４２で吊元補強アングルピース３４に固定されている。吊元補強アングルピース３４は金属拡張系アンカー３６及びナットで躯体２３に躯体面２３ｂ側から固定されている。なお、フラットバー３０と吊元補強アングルピース３４との接合は、機械的に接合されていればよく、ボルト４０及びナット４２を用いず、例えばリンダプター（登録商標）等によってなされていてもよい。
【００２６】
脱落防止構造１では、領域Ｒ１，Ｒ２に共通して既存の左官仕上げ天井２が補強されている。
図１に示すように、メッシュシート４には、ポリプロピレンシートが用いられている。なお、メッシュシート４として、左官仕上げ天井２の小片を落下させず、均等に左官仕上げ天井２の重量を支持できるものが望ましく、例えば５ｍｍから２０ｍｍ程度の網目間隔のものが推奨される。メッシュシート４を左官仕上げ天井２に貼り付けるための接着剤には、カチオンや石膏のコテ塗が用いられている。
なお、メッシュシート４は左官仕上げ天井２の既存形状になじみやすい繊維状のものが適しており、ガラス繊維シートや炭素繊維シート等であってもよい。
【００２７】
図２（ａ），（ｂ）及び図３に示すように、脱落防止構造１は、左官仕上げ天井２の下面２ｂ全体にわたって接着剤でメッシュシート４が貼り付けられてなる補強天井１８を備えている。
【００２８】
ボルト６は、雄ねじが切られたボルト本体６ｙと、ボルト本体６ｙの端部に設けられた頭部６ｘと、を備えている。頭部６ｘ側のボルト本体６ｙには、不図示の座金が通されている。そして、ボルト本体６ｙは補強天井１８の下面１８ｂ（即ち、メッシュシート４の下面４ｂ）から補強天井１８を貫通し、左官仕上げ天井２の上面２ａから上方に突出している。頭部６ｘ及び前記座金は補強天井１８の下面１８ｂから下方に突出している。
ボルト６は、平面視で所定の間隔をあけて補強天井１８に複数貫通されている（図１参照）。ボルト６同士の所定の間隔は、例えば４５０ｍｍとされているが、適切に設定されていればよい。
【００２９】
天井固定具８には、ボルト６のボルト本体６ｙの雄ねじに螺合可能な雌ねじが切られた孔１２が形成されている。補強天井１８の上面１８ａ（即ち、左官仕上げ天井２の上面２ａ）から上方に突出した複数のボルト６のボルト本体６ｙには全て、上述のように天井固定具８の孔１２が螺合されている。なお、ボルト６の天井固定具８への固定方法については、雌ねじが切られた孔１２の替わりに、ナットにより締結する方法でもよい。
天井固定具８には、側面視でＬ字形のアングルピースが用いられている。なお、ボルト６によって補強天井１８の上面１８ａに固定可能であって、連結具１４，１５を接続可能であれば、天井固定具８は例えばＴ形やＣ形の鋼材、ブロック状の鋼材、その他の部材であってもよく、その形状や素材は特に限定されない。
【００３０】
天井固定具８の鉛直方向に立ち上がる壁部に孔１３が形成されている。
図１に示す領域Ｒ１においては、図２（ａ）に示すように、水平方向のうち矢印方向Ｄ２に沿って、間隔をあけて配置されている複数の天井固定具８の孔１３に連結具１５が挿通されている。連結具１５の不図示の両端部は梁２２等の躯体２０に緊結されている。また、連結具１５は矢印方向Ｄ２に沿って所定の間隔をあけて連結具１６で躯体２３に緊結されている。連結具１６の上部は吊元補強アングルピース３４に挿通され、金属拡張系アンカー３６を介して、ボルト及びナットで躯体２３に躯体面２３ｂ側から固定されている。連結具１６の端部１６ｃはこのように吊元補強アングルピース３４に掛け回されて留め具等によって係止されている。連結具１６の端部１６ｄは連結部１５に掛け回されて留め具等によって係止されている。このように、天井固定具８は、連結具１５で梁２２に緊結されると共に、連結具１６で躯体２３に緊結され、躯体２０に支持されている。
【００３１】
一方、図１に示す領域Ｒ２のように、所謂天井ふところが低く、複数の天井固定具８の孔１３に連結具１５を挿通させる作業を行うのが困難な領域においては、図３に示すように、個々の天井固定具８の孔１３に連結具１４が挿通されている。具体的には、連結具１４が天井固定具８の孔１３に挿通され、連結具１４同士の上部（即ち、端部（一端）１４ｃ及び端部（他端）１４ｄ）が留め具等によって係止されている。連結具１４の端部１４ｃ，１４ｄは躯体２３に躯体面２３ｂ側から埋め込まれている。
即ち、領域Ｒ１及び領域Ｒ２のいずれにおいても、天井固定具８と躯体２０との間は連結具１４，１５，１６によって緊結されている。
【００３２】
連結具１４，１５，１６には、ワイヤロープが用いられている。但し、連結具１４，１５，１６は天井固定具８を介して左官仕上げ天井２の脱落を防止する機能を有するものであればよく、ワイヤロープ以外の鋼棒や全ねじボルト（吊ボルト）、アングル材等の鉄骨やこれら以外の連結具であってもよい。また、天井固定具８には、連結具１４の端部１４ｃを接続するための、孔以外の接続部（凹部等）が設けられていてもよい。天井固定具８と連結具１４，１５，１６との接続形態も各々の形状と素材に合わせて適宜変更することができる。
【００３３】
塗膜層１０の材料には、左官仕上げ天井２の外観を再現できるようにモルタル又は漆喰が用いられている。
【００３４】
そして、左官仕上げ天井２には、装飾として例えば雲形の石膏製のレリーフ５０が複数設けられている。
図５は、レリーフ５０が取り付けられた脱落防止構造１の側面図及びレリーフ５０の平面図である。なお、脱落防止構造１の構成及びレリーフ５０の取り付け状態をそれぞれわかりやすく示すために、図１から図３ではレリーフ５０の図示を省略し、図５を参照してレリーフ５０の取り付け状態を説明する。
【００３５】
レリーフ５０は、左官仕上げ天井２にメッシュシート４が貼り付けられる前に、一旦取り外され、所謂活かし取りされたものである。レリーフ５０の内壁面（裏面）５０ｅは、接着石膏スラリー５３及びガラス繊維５１が設けられることで補強されている。レリーフ５０は左官仕上げ天井２の下面２ｂに略平行に配置されている装飾部５２と、装飾部５２の外縁から略垂直に立ち上がる側壁部５４と、を備えている。レリーフ５０の装飾部５２には、レリーフ取り付け用のボルト６０を挿通可能な取付孔５６が形成されている。
【００３６】
ボルト６０は、雄ねじが切られたボルト本体６０ｙと、ボルト本体６０ｙの端部に設けられた頭部６０ｘと、を備えている。ボルト６０は、レリーフ５０の装飾部５２の表面５２ａ（即ち、左官仕上げ天井２に取り付けられた際に下方に向く面）から、装飾部５２及び側壁部５４に囲まれた内部空間を通り、塗膜層１０、メッシュシート４、左官仕上げ天井２を貫通して、左官仕上げ天井２の上面２ａから上方に突出している。ボルト６０の頭部６０ｘは、レリーフ５０の装飾部５２に設けられた凹部５８に係止されている。突出したボルト６０のボルト本体６０ｙには、ナット６４が嵌められている。このような構成によって、ボルト６０でレリーフ５０が左官仕上げ天井２に固定されている。
また、レリーフ５０は、装飾部５２及び側壁部５４に囲まれた内部空間に接着石膏６２が設けられることで補強され、塗膜層１０及びメッシュシート４を介して左官仕上げ天井２に接着されている。
ボルト６０及びナット６４として一方向からのみ緊結できるものを採用することで、多数のレリーフ５０が左官仕上げ天井２に効率よく取り付けられる。
【００３７】
次いで、本実施形態の天井の脱落防止方法（以下、単に「脱落防止方法」とする）について、図１から図５を参照して説明する。
【００３８】
予め、左官仕上げ天井２に装飾として設けられたレリーフ５０（図５参照）を一旦取り外し、活かし取りしておく。具体的には、レリーフ５０の取り付け部分周囲の漆喰をノミ等で部分除去する。その後、手作業にてレリーフ５０を序々に揺らし、左官仕上げ天井２の漆喰面から剥離する。レリーフ５０と漆喰との隙間に手鋸を差し込み、左官仕上げ天井２の所謂ラスモルタルより垂下してレリーフ５０を固定している既存の銅線等の留め付け材（図示略）を切断する。
【００３９】
先ず、図２（ａ），（ｂ）及び図３に示すように、既存の左官仕上げ天井２の下面２ｂにメッシュシート４を接着剤で貼り付けて左官仕上げ天井２とメッシュシート４とを一体化して補強天井１８を形成する工程を行う。
次に、補強天井１８の下面１８ｂ側からボルト６を貫通させる。そして、補強天井１８の上面１８ａから上方に突出したボルト６のボルト本体６ｙに天井固定具８の孔１２を螺合させる。このようにして、ボルト６で左官仕上げ天井２と天井固定具８とを固定する工程を行う。
【００４０】
次に、図２（ａ）に示すように、脱落防止構造１の領域Ｒ１において、矢印方向Ｄ２に沿って間隔をあけて配置されている複数の天井固定具８の孔１３に連結具１５を挿通させ、連結具１５の両端部をそれぞれ梁２２等の躯体２０に緊結する。連結具１５の直上且つ矢印方向Ｄ２に沿って所定の間隔をあけて、躯体２３に吊元補強アングルピース３４を設け、金属拡張系アンカー３６を介して、ボルト及びナットで固定する。連結具１６を吊元補強アングルピース３４の不図示の孔等に挿通させ、端部１６ｃを留め具等で連結具１６に係止する。そして、連結具１６の端部１６ｄを矢印方向Ｄ２に沿って所定の間隔をあけて鉛直方向から連結具１５に掛け回し、連結具１６に留め具等で係止する。
【００４１】
続いて、脱落防止構造１の領域Ｒ２では、図３に示すように、天井固定具８の設置位置の直上の躯体２３に例えば最小直径１５０ｍｍ程度の孔２６を形成する。作業者は孔２６から手を差し入れて天井固定具８の孔１３に連結具１４を挿通させ、連結具１４の端部１４ｃ及び端部１４ｄを躯体２３側に持ち上げ、孔２６を断面補修用モルタル２８で閉塞させると共に、端部１４ｃ，１４ｄを断面補修用モルタル２８内に埋め込む。
なお、上記説明した脱落防止構造１の領域Ｒ１，Ｒ２における作業の順序は逆にしてもよく、同時に並行してもよい。
【００４２】
次に、補強天井１８の下面１８ｂに、メッシュシート４と一体化する前の左官仕上げ天井２と同様の塗装を施す工程を行う。
【００４３】
上記各工程を行う前後に、又は上記各工程と並行して、図１に示すように、左官仕上げ天井２の下地鉄骨３８を図４に示す端部固定プレート４０で梁２２等の躯体２０に緊結する工程を行う。
また、図２（ｂ）に示すように、脱落防止構造１の領域Ｒ１において、下地鉄骨３８を支持するフラットバー３０の上端部３０ｃをボルト４０及びナット４２で吊元補強アングルピース３４に固定し、吊元補強アングルピース３４を金属拡張系アンカー３６及びナットで躯体２３に躯体面２３ｂ側から固定する。
【００４４】
次に、活かし取りしたレリーフ５０の内壁面５０ｅにガラス繊維５１による補強を行う。具体的には、レリーフ５０の装飾部５２及び側壁部５４に囲まれた内部空間に接着石膏スラリー５３を流し込み、接着石膏スラリー５３の表面にガラス繊維５１を敷き詰める。再度、ガラス繊維５１の表面に接着石膏スラリー５３を流し込み、含浸させる。その後、レリーフ５０をボルト６０で塗膜層１０及びメッシュシート４と一体化された左官仕上げ天井２に固定する工程を行う。また、レリーフ５０の装飾部５２及び側壁部５４に囲まれた内部空間に接着石膏６２を設けて、レリーフ５０を左官仕上げ天井２に接着する。
【００４５】
以上の各工程を行うことによって、脱落防止方法を実施することができ、脱落防止構造１が完成する。
【００４６】
上記説明したように、本実施形態の脱落防止方法によれば、メッシュシート４及び接着剤で既存の左官仕上げ天井２の下面２ｂ全体を覆うことで、メッシュシート４及び接着剤によって既存の左官仕上げ天井２を板状に一体化し、補強天井１８を形成することができる。また、補強天井１８の部分的な破損が発生しても局所的な分離を起こさせないようにすることができる。また、本実施形態の脱落防止方法によれば、ボルト６によって、左官仕上げ天井２及びメッシュシート４の一体性を高め、補強天井１８の部分的な破損の広がりを抑えることができる。万一、細かい破片状の補強天井１８の落下はあっても、短時間で補強天井１８の大規模な脱落、崩落を起こさせず、在室者の避難時間を確保することができる。さらに、本実施形態の脱落防止方法によれば、補強天井１８に塗装を施すことによって既存同様の天井の外観に復元し、補強天井１８の美観性を維持又は高めることができる。
【００４７】
また、本実施形態の脱落防止方法では、天井固定具８に連結具１４，１５，１６を挿通させ、連結具１４，１５，１６の両端部を躯体２０に緊結することで、地震動の外力が左官仕上げ天井２に加わっても、この外力を補強天井１８に分散させ、ボルト６を介して補強天井１８にかかる荷重を天井固定具８に伝達し、連結具１４，１５，１６を介して躯体２０に解放することができる。従って、上述のように補強天井１８を躯体２０に支持させ、補強天井１８の下方への落下をより確実に防止することができる。
【００４８】
また、本実施形態の脱落防止方法では、左官仕上げ天井２の下地鉄骨３８を端部固定プレート４０で梁２２等の躯体２０に緊結することで、左官仕上げ天井２を単独で揺らすことなく建築物と一体に震動させ、地震時に左官仕上げ天井２のみでの振動の増幅と躯体２０への衝突を回避することができる。
【００４９】
また、本実施形態の脱落防止方法では、補強天井１８を形成する工程を行う前にレリーフ５０を一旦取り外し、レリーフ５０の内壁面５０ｅにガラス繊維５１による補強を行う。また、塗装を施す工程を行った後に、補強を行ったレリーフ５０をボルト６０で、補強天井１８に固定する。
従って、本実施形態の脱落防止方法によれば、既存の左官仕上げ天井２に装飾としてレリーフ５０が設けられていた場合であっても、既存同様の天井の外観を復元することができる。また、ボルト６０及び接着石膏６２でレリーフ５０を左官仕上げ天井２に固定することで、地震時等におけるレリーフ５０の脱落を防止することができる。
【００５０】
また、本実施形態の脱落防止構造１によれば、メッシュシート４及び接着剤によって既存の左官仕上げ天井２が板状に一体化され、部分的な破損が発生しても局所的な分離が生じない。また、ボルト６によって、左官仕上げ天井２及びメッシュシート４の一体性が高まり、部分的な破損が全体に拡がり、大規模な脱落が発生するのを抑えることができる。さらに、塗膜層１０によって、最終的に既存同様の外観で左官仕上げ天井２が復元される。
【００５１】
また、本実施形態の脱落防止構造１によれば、天井固定具８躯体２０との間を緊結する連結具１４，１５，１６によって、上述のようにメッシュシート４と一体化された左官仕上げ天井２を躯体２０に支持させ、左官仕上げ天井２の下方への落下をより確実に防止することができる。
【００５２】
また、本実施形態の脱落防止構造１によれば、左官仕上げ天井２の下地鉄骨３８が端部固定プレート４０で躯体２０に緊結されていることで、左官仕上げ天井２が建築物と一体に震動し、単独で揺れない。これにより、左官仕上げ天井２のみでの振動の増幅と躯体２０への衝突を回避することができ、地震時の左官仕上げ天井２の脱落をより確実に防ぐことができる。
【００５３】
また、本実施形態の脱落防止構造１によれば、補強天井１８の下方、即ち塗膜層１０の下面１０ｂに、ガラス繊維５１による補強がなされたレリーフ５０が設けられていることで、既存の左官仕上げ天井２に装飾としてレリーフ５０が設けられていた場合であっても、既存同様の天井の外観が復元される。
【００５４】
そして、本実施形態の脱落防止方法及び脱落防止構造１は、大きな地震時であっても大規模な左官仕上げ天井２の脱落を防ぎ、在室者の避難時間を確保し、人命を保護すると共に、歴史的価値の高い建築物のより長期の、且つ良好な保存に大きく寄与する。
【００５５】
以上、本発明の好ましい実施形態について詳述したが、本発明は係る特定の実施形態に限定されるものではなく、特許請求の範囲内に記載された本発明の要旨の範囲内において、種々の変更が可能である。
【００５６】
例えば、上記実施形態では、作業者が躯体２３と左官仕上げ天井２との間に入ることができる程度に所謂天井ふところが高い領域Ｒ１と、作業者が躯体２３と左官仕上げ天井２との間に入ることが困難な程度に天井ふところが低く、不図示の小梁下方の高さ寸法も小さい領域Ｒ２と、を有し、矢印方向Ｄ１においてアーチ状に造られた左官仕上げ天井２を例示して説明した。しかしながら、左官仕上げ天井２の形状は、このようなアーチ状に限定されない。また、天井固定具８への連結具の挿通方法及び該連結具の両端部の躯体２０への接続方法は、所謂天井ふところの寸法、や建築物の構造に応じて適宜選択されればよい。
従って、脱落防止構造１の全領域において、作業者が躯体２３と左官仕上げ天井２との間に入ることができれば、領域Ｒ１における天井固定具８に対する連結具１５の挿通方法、連結具１５に対する連結具１６の接続方法、これらの連結具１５，１６の両端部の躯体２０への接続方法及びフラットバー３０の吊元の補強方法のみが脱落防止のために採用されてもよい。この脱落防止方法では、上記説明したように、複数の天井固定具８の孔１３にわたって連結具１５を挿通させるので、個々の天井固定具８を躯体２０に接続するのに比べて作業量をより抑え、且つ連結具１５の軸線方向に沿って補強天井１８の一体性を効率良く高めることができる。また、連結具１５の両端部をそれぞれ梁２２等の躯体２０に緊結することで、連結具１５及び既存の下地鉄骨３８によって補強天井１８を躯体２０により多くの位置から支持させ、比較的質量の大きい左官仕上げ天井２の地震時等の揺れに伴う荷重を躯体２０に効率良く解放し、脱落防止構造１の脱落防止性を高めることができる。さらに、躯体２３の躯体面２３ｂに吊元補強アングルピース３４を設置し、これに連結具１６を掛け回して係止し、一方で連結具１５に連結具１６を掛け回して係止することで、より簡便な作業で脱落防止構造１を躯体２３に支持させ、脱落防止構造１の脱落防止性をさらに高めることができる。
また、脱落防止構造１の全領域において、作業者が躯体２３と左官仕上げ天井２との間に入ることが困難であれば、領域Ｒ２における天井固定具８に対する連結具１４の挿通方法及び連結具１４の両端部の躯体２０への接続方法のみが脱落防止のために採用されてもよい。この脱落防止方法では、個々の天井固定具８を連結具１４で躯体２０に接続することで、連結具１４及び既存の下地鉄骨３８によって補強天井１８を躯体２０にさらに多くの位置から支持させ、比較的質量の大きい左官仕上げ天井２の地震時等の揺れに伴う荷重を躯体２０に効率良く解放すると共に、脱落防止構造１の脱落防止性を高めることができる。
そして、連結具１４，１５，１６にワイヤロープ等の比較的容易に変形可能な部材を用いることで、領域Ｒ１，Ｒ２に共通して作業を進めやすく、また脱落直前の左官仕上げ天井２の荷重を連結具１４，１５，１６及び躯体２０に円滑に分散させることができる。
【符号の説明】
【００５７】
１  脱落防止構造（天井の脱落防止構造）
２  左官仕上げ天井
４  メッシュシート
６，６０  ボルト
８  天井固定具
１０  塗膜層
１４，１５，１６  連結具
２０  躯体
２２  梁（躯体）
３８  下地鉄骨（下地）
４０  端部固定プレート
５０  レリーフ
５０ｅ  内壁面（裏面）
５１  ガラス繊維
【図１】
0006555518.tif 000002
【図２】
0006555518.tif 000003
【図３】
0006555518.tif 000004
【図４】
0006555518.tif 000005
【図５】
0006555518.tif 000006